(57)【要約】【課題】検出精度を向上することができる検出機器及び検出システムを提供する。【解決手段】スイッチ部２２は、検出対象の状態に応じてループアンテナ２１の利得を低減する利得低減状態又はループアンテナ２１の利得を低減しない利得非低減状態に切り替える。スイッチ部２２は、電波の波長をλとしたとき、第１回路端子２３ａからループアンテナ２１の第１延在方向に沿ってλ／８離れた位置までのループアンテナ２１上の範囲Ｋ１内にループアンテナ２１の利得を低減するためのスイッチ端子２２ａ、２２ｂを有する。スイッチ部２２は、さらに、第２回路端子２３ｂからループアンテナ２１の第２延在方向に沿ってλ／８離れた位置までのループアンテナ２１上の範囲Ｋ２内にループアンテナ２１の利得を低減するためのスイッチ端子２２ｄ、２２ｅを有する。【選択図】図１
2019206201.tif 000002
【特許請求の範囲】
【請求項１】
信号を含む電波を送受信するアンテナと、
前記アンテナに接続される第１回路端子及び第２回路端子を含んで構成され前記アンテナにより受信した信号に含まれる電力供給用の信号を動力として起動し検出信号を前記アンテナに出力する信号出力部と、
検出対象の状態に応じて前記アンテナの利得を低減する利得低減状態又は前記アンテナの利得を低減しない利得非低減状態に切り替える利得低減部と、を備え、
前記利得低減部は、前記電波の波長をλとしたとき、前記第１回路端子から前記アンテナの第１延在方向に沿ってλ／８離れた位置までの前記アンテナ上の範囲内に前記アンテナの利得を低減するための第１作用点を有し、且つ、前記第２回路端子から前記アンテナの第２延在方向に沿ってλ／８離れた位置までの前記アンテナ上の範囲内に前記アンテナの利得を低減するための第２作用点を有することを特徴とする検出機器。
【請求項２】
前記第１及び第２作用点は、前記信号出力部と前記アンテナとを通電状態又は非通電状態にするための作用点である請求項１に記載の検出機器。
【請求項３】
前記利得低減部は、前記第１作用点としての第１端子及び第２端子を互いに電気的に接続状態又は非接続状態に切り替え可能な第１スイッチ回路と、前記第２作用点としての第３端子及び第４端子を互いに電気的に接続状態又は非接続状態に切り替え可能な第２スイッチ回路と、を含んで構成され、
前記第１端子及び前記第２端子を接続状態とし、且つ、前記第３端子及び前記第４端子を接続状態とした前記利得非低減状態と、前記第１端子及び前記第２端子を非接続状態とし、且つ、前記第３端子及び前記第４端子を非接続状態とした前記利得低減状態と、を切り替え可能である請求項１又は２に記載の検出機器。
【請求項４】
前記利得低減部は、前記第１作用点としての第１平板及び第２平板を蓄電可能状態又は蓄電不可状態に切り替え可能な第１コンデンサ回路と、前記第２作用点としての第３平板及び第４平板を蓄電可能状態又は蓄電不可状態に切り替え可能な第２コンデンサ回路と、を含んで構成され、
前記第１平板及び前記第２平板を蓄電可能状態とし、且つ、前記第３平板及び前記第４平板を蓄電可能状態とした前記利得非低減状態と、前記第１平板及び前記第２平板を蓄電不可状態とし、且つ、前記第３平板及び前記第４平板を蓄電不可状態とした前記利得低減状態と、を切り替え可能である請求項１又は２に記載の検出機器。
【請求項５】
前記利得低減部は、前記第１作用点及び前記第２作用点を互いに電気的に接続状態又は非接続状態に切り替え可能な第３スイッチ回路を含んで構成され、
前記第３スイッチ回路は、前記第１作用点及び前記第２作用点を非接続状態とした前記利得非低減状態と、前記第１作用点及び前記第２作用点を接続状態とした前記利得低減状態と、を切り替え可能である請求項１に記載の検出機器。
【請求項６】
信号を含む電波を送受信し、少なくとも電力供給用の信号を含む送信信号を送信する読み取り装置と、
前記読み取り装置との間で相互に信号を送受信するアンテナ、前記アンテナに接続される第１回路端子及び第２回路端子を有し前記アンテナにより受信した信号に含まれる電力供給用の信号を動力として起動し検出信号を前記アンテナに出力する信号出力部、及び、検出対象の状態に応じて前記アンテナの利得を低減する利得低減状態又は前記アンテナの利得を低減しない利得非低減状態に切り替える利得低減部を含んで構成される検出機器と、
前記読み取り装置に接続され、当該読み取り装置が受信した前記検出信号に基づいて前記検出対象の状態を判定する判定部と、を備え、
前記利得低減部は、前記電波の波長をλとしたとき、前記第１回路端子から前記アンテナの第１延在方向に沿ってλ／８離れた位置までの前記アンテナ上の範囲内に前記アンテナの利得を低減するための第１作用点を有し、且つ、前記第２回路端子から前記アンテナの第２延在方向に沿ってλ／８離れた位置までの前記アンテナ上の範囲内に前記アンテナの利得を低減するための第２作用点を有することを特徴とする検出システム。
【発明の詳細な説明】
【技術分野】
【０００１】
本発明は、検出機器及び検出システムに関する。
【背景技術】
【０００２】
従来、検出機器として、例えば、特許文献１には、車両のシートベルトの着脱を検出するシートベルト側装置が開示されている。このシートベルト側装置は、シートベルトのバックル部に設けられ当該バックル部にシートベルトのタング部が装着されるとオンする検出スイッチと、検出スイッチがオンした場合にシートベルトの装着信号を送信するＲＦＩＤタグとを含んで構成されている。
【先行技術文献】
【特許文献】
【０００３】
【特許文献１】特開２０１３−２４４７６６号公報
【発明の概要】
【発明が解決しようとする課題】
【０００４】
ところで、上述の特許文献１に記載のシートベルト側装置は、例えば、バックル部にシートベルトのタング部が装着されず検出スイッチがオフの場合でもシートベルトの装着信号を送信して誤検出するおそれがあり、この点で更なる改善の余地がある。
【０００５】
そこで、本発明は、上記に鑑みてなされたものであって、検出精度を向上することができる検出機器及び検出システムを提供することを目的とする。
【課題を解決するための手段】
【０００６】
上述した課題を解決し、目的を達成するために、本発明に係る検出機器は、信号を含む電波を送受信するアンテナと、前記アンテナに接続される第１回路端子及び第２回路端子を含んで構成され前記アンテナにより受信した信号に含まれる電力供給用の信号を動力として起動し検出信号を前記アンテナに出力する信号出力部と、検出対象の状態に応じて前記アンテナの利得を低減する利得低減状態又は前記アンテナの利得を低減しない利得非低減状態に切り替える利得低減部と、を備え、前記利得低減部は、前記電波の波長をλとしたとき、前記第１回路端子から前記アンテナの第１延在方向に沿ってλ／８離れた位置までの前記アンテナ上の範囲内に前記アンテナの利得を低減するための第１作用点を有し、且つ、前記第２回路端子から前記アンテナの第２延在方向に沿ってλ／８離れた位置までの前記アンテナ上の範囲内に前記アンテナの利得を低減するための第２作用点を有することを特徴とする。
【０００７】
上記検出機器において、前記第１及び第２作用点は、前記信号出力部と前記アンテナとを通電状態又は非通電状態にするための作用点であることが好ましい。
【０００８】
上記検出機器において、前記利得低減部は、前記第１作用点としての第１端子及び第２端子を互いに電気的に接続状態又は非接続状態に切り替え可能な第１スイッチ回路と、前記第２作用点としての第３端子及び第４端子を互いに電気的に接続状態又は非接続状態に切り替え可能な第２スイッチ回路と、を含んで構成され、前記第１端子及び前記第２端子を接続状態とし、且つ、前記第３端子及び前記第４端子を接続状態とした前記利得非低減状態と、前記第１端子及び前記第２端子を非接続状態とし、且つ、前記第３端子及び前記第４端子を非接続状態とした前記利得低減状態と、を切り替え可能であることが好ましい。
【０００９】
上記検出機器において、前記利得低減部は、前記第１作用点としての第１平板及び第２平板を蓄電可能状態又は蓄電不可状態に切り替え可能な第１コンデンサ回路と、前記第２作用点としての第３平板及び第４平板を蓄電可能状態又は蓄電不可状態に切り替え可能な第２コンデンサ回路と、を含んで構成され、前記第１平板及び前記第２平板を蓄電可能状態とし、且つ、前記第３平板及び前記第４平板を蓄電可能状態とした前記利得非低減状態と、前記第１平板及び前記第２平板を蓄電不可状態とし、且つ、前記第３平板及び前記第４平板を蓄電不可状態とした前記利得低減状態と、を切り替え可能であることが好ましい。
【００１０】
上記検出機器において、前記利得低減部は、前記第１作用点及び前記第２作用点を互いに電気的に接続状態又は非接続状態に切り替え可能な第３スイッチ回路を含んで構成され、前記第３スイッチ回路は、前記第１作用点及び前記第２作用点を非接続状態とした前記利得非低減状態と、前記第１作用点及び前記第２作用点を接続状態とした前記利得低減状態と、を切り替え可能であることが好ましい。
【００１１】
本発明に係る検出システムは、信号を含む電波を送受信し、少なくとも電力供給用の信号を含む送信信号を送信する読み取り装置と、前記読み取り装置との間で相互に信号を送受信するアンテナ、前記アンテナに接続される第１回路端子及び第２回路端子を有し前記アンテナにより受信した信号に含まれる電力供給用の信号を動力として起動し検出信号を前記アンテナに出力する信号出力部、及び、検出対象の状態に応じて前記アンテナの利得を低減する利得低減状態又は前記アンテナの利得を低減しない利得非低減状態に切り替える利得低減部を含んで構成される検出機器と、前記読み取り装置に接続され、当該読み取り装置が受信した前記検出信号に基づいて前記検出対象の状態を判定する判定部と、を備え、前記利得低減部は、前記電波の波長をλとしたとき、前記第１回路端子から前記アンテナの第１延在方向に沿ってλ／８離れた位置までの前記アンテナ上の範囲内に前記アンテナの利得を低減するための第１作用点を有し、且つ、前記第２回路端子から前記アンテナの第２延在方向に沿ってλ／８離れた位置までの前記アンテナ上の範囲内に前記アンテナの利得を低減するための第２作用点を有することを特徴とする。
【発明の効果】
【００１２】
本発明に係る検出機器及び検出システムにおいて、利得低減部は、信号出力部の第１回路端子からλ／８離れた位置までの範囲内にアンテナの利得を低減するための第１作用点を有し、且つ、信号出力部の第２回路端子からλ／８離れた位置までの範囲内にアンテナの利得を低減するための第２作用点を有する。この構成により、検出機器及び検出システムは、検出対象の状態に応じてアンテナを無効化することができ、検出精度を向上することができる。
【図面の簡単な説明】
【００１３】
【図１】図１は、第１実施形態に係る検出システムの構成例を示す概略図である。
【図２】図２は、第１実施形態に係る検出システムの構成例を示すブロック図である。
【図３】図３は、第１実施形態に係る検出システムの設置例を示す概略図である。
【図４】図４は、第１実施形態に係る検出機器の設置例を示す概略図である。
【図５】図５は、第１実施形態に係る検出システムの動作例を示すフローチャートである。
【図６】図６は、第１実施形態の第１変形例に係る検出機器の構成例を示す模式図である。
【図７】図７は、第１実施形態の第２変形例に係る検出機器の構成例を示す模式図である。
【図８】図８は、第１実施形態の第３変形例に係る検出機器の構成例を示す模式図である。
【図９】図９は、第２実施形態に係る検出機器の構成例を示す模式図である。
【図１０】図１０は、第２実施形態の変形例に係る検出機器の構成例を示す模式図である。
【図１１】図１１は、第３実施形態に係る検出機器の構成例を示す模式図である。
【図１２】図１２は、第３実施形態の変形例に係る検出機器の構成例を示す模式図である。
【発明を実施するための形態】
【００１４】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１５】
〔第１実施形態〕
第１実施形態に係る検出システム１及び検出機器２０について説明する。検出システム１は、検出機器２０の検出結果に基づいて検出対象の状態を判定するものである。検出システム１は、例えば、車両２に設けられ、車両２内の検出対象の状態を判定する。検出システム１は、例えば、搭乗者の着座等による搭乗者の動作を判定するが、これに限定されない。以下、検出システム１について詳細に説明する。
【００１６】
検出システム１は、図１に示すように、読み取り装置としてのＲＦＩＤ（Ｒａｄｉｏ  Ｆｒｅｑｕｅｎｃｙ  Ｉｄｅｎｔｉｆｉｅｒ）リーダー１０と、複数の検出機器２０と、判定部としてのＥＣＵ（電子制御ユニット；Ｅｌｅｃｔｒｏｎｉｃ  Ｃｏｎｔｒｏｌ  Ｕｎｉｔ）３０とを備える。ここで、検出システム１は、ＲＦＩＤ、ＮＦＣ（Ｎｅａｒ  Ｆｉｅｌｄ  Ｃｏｍｍｕｎｉｃａｔｉｏｎ）等の通信技術を用いて近距離無線通信を行うものである。なお、検出システム１は、近距離無線通信を行う技術であれば、ＲＦＩＤやＮＦＣに限定されない。
【００１７】
ＲＦＩＤリーダー１０は、信号を送受信する読み取り装置である。ＲＦＩＤリーダー１０は、車両２に設けられ、例えば、ＡＶコンソール、メーター、ルームランプ、窓ガラス、又は、サンルーフ等に設けられる。ＲＦＩＤリーダー１０は、例えば、電力供給用の信号と、各検出機器２０が信号を搬送するための搬送波とを含む送信信号を送信する。また、ＲＦＩＤリーダー１０は、各検出機器２０から検出信号を受信する。ＲＦＩＤリーダー１０は、図２に示すように、送受信部１１と、リーダ側アンテナ１２とを備える。送受信部１１は、送信部１１ａと、受信部１１ｂとを備える。
【００１８】
送信部１１ａは、リーダ側アンテナ１２に接続され、信号を含む電波を送信する回路である。送信部１１ａは、例えば、電力供給用の信号と、各検出機器２０が信号を搬送するための搬送波とを含む送信信号をリーダ側アンテナ１２に出力する。なお、送信信号は、電力供給用の信号、搬送波の他に、命令としての命令信号等を含んでもよい。
【００１９】
受信部１１ｂは、リーダ側アンテナ１２に接続され、信号を含む電波を受信する回路である。受信部１１ｂは、各検出機器２０から送信される検出信号をリーダ側アンテナ１２を介して受信する。受信部１１ｂは、受信した検出信号を復調してＥＣＵ３０に出力する。
【００２０】
リーダ側アンテナ１２は、信号を含む電波を送受信するものである。リーダ側アンテナ１２は、送信部１１ａに接続され、送信部１１ａから出力される電力供給用の信号、及び、搬送波を含む送信信号を各検出機器２０に送信する。また、リーダ側アンテナ１２は、各検出機器２０から検出信号を受信し、受信した検出信号を受信部１１ｂに出力する。
【００２１】
各検出機器２０は、車両２に設けられ、検出信号をＲＦＩＤリーダー１０に送信する機器である。各検出機器２０は、電力を蓄電するバッテリを備えておらず、ＲＦＩＤリーダー１０から送信される電力供給用の信号（電力ともいう。）を動力として起動するパッシブ方式のＲＦＩＤを用いた機器である。各検出機器２０は、車両２の異なる場所にそれぞれ設けられる。各検出機器２０は、例えば、図３及び図４に示すように、車両２の複数の座席２ａにそれぞれ設けられる。各検出機器２０は、例えば、座席２ａの座面部２ｂに設けられる。
【００２２】
各検出機器２０は、アンテナとしてのループアンテナ２１と、利得低減部としてのスイッチ部２２と、信号出力部としてのＲＦＩＤ検出回路２３とを備える。ループアンテナ２１は、ＲＦＩＤリーダー１０との間で相互に信号を送受信するものである。ループアンテナ２１は、アンテナ導体が１回又は複数回、環状に巻き回されて形成される。ループアンテナ２１は、巻き回し開始側の始端部２１ａと巻き回し終了側の終端部２１ｂとを含んで構成される（図１参照）。ループアンテナ２１は、スイッチ部２２を介してＲＦＩＤ検出回路２３に接続される。ループアンテナ２１は、例えば、始端部２１ａが後述する第１スイッチ回路２２Ｒに接続され、終端部２１ｂが第２スイッチ回路２２Ｌに接続される。ループアンテナ２１は、第１及び第２スイッチ回路２２Ｒ、２２Ｌが接続状態（オン）の場合、ＲＦＩＤリーダー１０から送信された電力供給用の信号、及び、搬送波を含む送信信号を受信する。そして、ループアンテナ２１は、受信した送信信号を第１及び第２スイッチ回路２２Ｒ、２２Ｌを介してＲＦＩＤ検出回路２３に出力する。そして、ループアンテナ２１は、ＲＦＩＤ検出回路２３から第１及び第２スイッチ回路２２Ｒ、２２Ｌを介して出力される検出信号をＲＦＩＤリーダー１０に送信する。一方、ループアンテナ２１は、第１及び第２スイッチ回路２２Ｒ、２２Ｌが非接続状態（オフ）の場合、ＲＦＩＤリーダー１０から送信された電力供給用の信号、及び、搬送波を含む送信信号を受信しない。
【００２３】
スイッチ部２２は、押しボタン式やスライド式等のスイッチである。スイッチ部２２は、第１スイッチ回路２２Ｒと、第２スイッチ回路２２Ｌとを含んで構成される。第１スイッチ回路２２Ｒは、電気的な接続をオン又はオフに切り替えるものである。第１スイッチ回路２２Ｒは、ＲＦＩＤ検出回路２３の第１回路端子２３ａとループアンテナ２１の始端部２１ａとの間に設けられる。第１スイッチ回路２２Ｒは、第１端子としてのスイッチ端子２２ａと、第２端子としてのスイッチ端子２２ｂと、切替バー２２ｃとを含んで構成される。スイッチ端子２２ａ、２２ｂは、ループアンテナ２１の利得を低減するための第１作用点として機能するものである。スイッチ端子２２ａ、２２ｂは、ＲＦＩＤ検出回路２３の第１回路端子２３ａからループアンテナ２１の第１延在方向に沿ってλ／８離れた位置までのループアンテナ２１上の範囲Ｋ１内に位置する。ここで、「λ」は、ループアンテナ２１により受信する電波の波長である。スイッチ端子２２ａは、ＲＦＩＤ検出回路２３の第１回路端子２３ａに接続されている。スイッチ端子２２ｂは、ループアンテナ２１の始端部２１ａに接続されている。切替バー２２ｃは、スイッチ端子２２ａ、２２ｂを互いに電気的に接続状態（オン）又は非接続状態（オフ）に切り替える。つまり、切替バー２２ｃは、ＲＦＩＤ検出回路２３の第１回路端子２３ａとループアンテナ２１の始端部２１ａとを通電状態又は非通電状態に切り替える。
【００２４】
第２スイッチ回路２２Ｌは、電気的な接続をオン又はオフに切り替えるものである。第２スイッチ回路２２Ｌは、ＲＦＩＤ検出回路２３の第２回路端子２３ｂとループアンテナ２１の終端部２１ｂとの間に設けられる。第２スイッチ回路２２Ｌは、第３端子としてのスイッチ端子２２ｄと、第４端子としてのスイッチ端子２２ｅと、切替バー２２ｆとを含んで構成される。スイッチ端子２２ｄ、２２ｅは、ループアンテナ２１の利得を低減するための第２作用点として機能するものである。スイッチ端子２２ｄ、２２ｅは、ＲＦＩＤ検出回路２３の第２回路端子２３ｂからループアンテナ２１の第２延在方向に沿ってλ／８離れた位置までのループアンテナ２１上の範囲Ｋ２内に位置する。スイッチ端子２２ｄは、ＲＦＩＤ検出回路２３の第２回路端子２３ｂに接続されている。スイッチ端子２２ｅは、ループアンテナ２１の終端部２１ｂに接続されている。切替バー２２ｆは、スイッチ端子２２ｄ、２２ｅを互いに電気的に接続状態（オン）又は非接続状態（オフ）に切り替える。つまり、切替バー２２ｆは、ＲＦＩＤ検出回路２３の第２回路端子２３ｂとループアンテナ２１の終端部２１ｂとを通電状態又は非通電状態に切り替える。
【００２５】
スイッチ部２２は、検出対象である搭乗者の動作による外力が加えられている場合、第１及び第２スイッチ回路２２Ｒ、２２Ｌをオン又はオフの一方に設定する。また、スイッチ部２２は、搭乗者の動作による外力が加えられていない場合、第１及び第２スイッチ回路２２Ｒ、２２Ｌをオン又はオフの他方に設定する。第１実施形態では、スイッチ部２２は、外力が加えられている場合にはオンし、外力が加えられていない場合にはオフする（モーメンタリ動作）。スイッチ部２２は、例えば、搭乗者が座席２ａに着座した場合には搭乗者の押圧力によりオンに切り替え、搭乗者が座席２ａに着座していない場合には搭乗者の押圧力から解放されることによりオフに切り替える。
【００２６】
スイッチ部２２は、例えば、搭乗者が座席２ａに着座していない場合、第１スイッチ回路２２Ｒのスイッチ端子２２ａ、２２ｂを非接続状態（オフ）とし、且つ、第２スイッチ回路２２Ｌのスイッチ端子２２ｄ、２２ｅを非接続状態（オフ）とすることで、ループアンテナ２１の利得を低減する利得低減状態に切り替える。つまり、スイッチ部２２は、搭乗者が座席２ａに着座していない場合、第１及び第２スイッチ回路２２Ｒ、２２Ｌをオフに切り替えてＲＦＩＤ検出回路２３とループアンテナ２１とのアンテナ整合を不一致状態とする。言い換えれば、スイッチ部２２は、第１及び第２スイッチ回路２２Ｒ、２２Ｌをオフに切り替えてＲＦＩＤ検出回路２３とループアンテナ２１とのインピーダンスを不整合とする。これにより、検出機器２０は、搭乗者が座席２ａに着座していない場合、受信感度が低下してＲＦＩＤ検出回路２３が起動しないようにできる。
【００２７】
一方、スイッチ部２２は、搭乗者が座席２ａに着座している場合、第１スイッチ回路２２Ｒのスイッチ端子２２ａ、２２ｂを接続状態（オン）とし、且つ、第２スイッチ回路２２Ｌのスイッチ端子２２ｄ、２２ｅを接続状態（オン）とすることで、ループアンテナ２１の利得を低減しない利得非低減状態に切り替える。つまり、スイッチ部２２は、搭乗者が座席２ａに着座している場合、第１及び第２スイッチ回路２２Ｒ、２２Ｌをオンに切り替えてＲＦＩＤ検出回路２３とループアンテナ２１とのアンテナ整合を一致状態とする。言い換えれば、スイッチ部２２は、第１及び第２スイッチ回路２２Ｒ、２２Ｌをオンに切り替えてＲＦＩＤ検出回路２３とループアンテナ２１とのインピーダンスを整合させる。これにより、検出機器２０は、搭乗者が座席２ａに着座している場合、受信感度が低下しないのでＲＦＩＤリーダー１０からの電力供給用の信号によりＲＦＩＤ検出回路２３を起動することができる。
【００２８】
ＲＦＩＤ検出回路２３は、検出信号を出力する回路である。ここで、検出信号は、検出機器２０毎にそれぞれ異なる識別子（例えば番号、記号等）を含む信号である。ＲＦＩＤ検出回路２３は、ＲＦＩＤリーダー１０から送信された電力供給用の信号を動力として駆動し検出信号を生成する。ＲＦＩＤ検出回路２３は、例えば、第１及び第２回路端子２３ａ、２３ｂと、整流回路２３ｃと、記憶部２３ｄと、ＩＣ回路２３ｅとを備える。第１及び第２回路端子２３ａ、２３ｂは、外部機器と電気的に接続される部分である。第１回路端子２３ａは、第１スイッチ回路２２Ｒのスイッチ端子２２ａに接続され、第２回路端子２３ｂは、第２スイッチ回路２２Ｌのスイッチ端子２２ｄに接続される。
【００２９】
整流回路２３ｃは、第１及び第２スイッチ回路２２Ｒ、２２Ｌ等を介してループアンテナ２１に接続され、ループアンテナ２１から出力される交流電力（電力供給用の信号）を整流し直流電力を生成する。整流回路２３ｃは、記憶部２３ｄ及びＩＣ回路２３ｅに接続され、生成した直流電力を図示しない平滑回路を介して記憶部２３ｄ及びＩＣ回路２３ｅに供給する。
【００３０】
記憶部２３ｄは、検出機器２０毎にそれぞれ異なる識別子を記憶する回路である。記憶部２３ｄは、ＩＣ回路２３ｅに接続され、当該ＩＣ回路２３ｅにより識別子が参照される。
【００３１】
ＩＣ回路２３ｅは、記憶部２３ｄ及びループアンテナ２１に接続され、記憶部２３ｄに記憶された識別子を取得し、取得した識別子に基づいて搬送波を変調した検出信号を第１及び第２スイッチ回路２２Ｒ、２２Ｌ等を介してループアンテナ２１に出力する。
【００３２】
ＥＣＵ３０は、車両２全体を制御する電子回路である。ＥＣＵ３０は、ＣＰＵ、メモリを構成するＲＯＭ、ＲＡＭ及びインターフェースを含む周知のマイクロコンピュータを主体とする電子回路を含んで構成される。ＥＣＵ３０は、例えば、ＲＦＩＤリーダー１０に接続され、ＲＦＩＤリーダー１０が受信した検出信号に基づいて車両２内の検出対象の状態を判定する。ＥＣＵ３０は、検出信号に含まれる識別子と車両２内の検出対象の状態とを予め対応付けている。例えば、ＥＣＵ３０は、それぞれ異なる識別子と車両２の各座席２ａとを対応付けている。これにより、ＥＣＵ３０は、識別子に基づいて各座席２ａの状態を判定することができる。ＥＣＵ３０は、各検出機器２０に電力供給用の信号、及び、搬送波を含む送信信号を所定間隔（例えば１秒間隔）で送信するように送信部１１ａを制御する。
【００３３】
次に、図５を参照して検出システム１の動作例について説明する。検出システム１のＥＣＵ３０は、ＡＣＣ（アクセサリー）電源又はＩＧ（イグニッション）電源がオンであるか否かを判定する（ステップＳ１）。ＥＣＵ３０は、ＡＣＣ電源又はＩＧ電源がオンである場合（ステップＳ１；Ｙｅｓ）、ＲＦＩＤリーダー１０により各検出機器２０を検出する（ステップＳ２）。例えば、ＥＣＵ３０は、ＲＦＩＤリーダー１０から各検出機器２０に電力供給用の信号、及び、搬送波を含む送信信号を所定間隔（例えば１秒間隔）で送信する。次に、ＥＣＵ３０は、各検出機器２０から返答があるか否かを判定する（ステップＳ３）。各検出機器２０は、搭乗者の動作による外力が加えられ第１及び第２スイッチ回路２２Ｒ、２２Ｌがオンである場合、ＲＦＩＤ検出回路２３とループアンテナ２１とが電気的に接続され、ループアンテナ２１の利得が低減されないので起動する。この場合、各検出機器２０は、ＲＦＩＤ検出回路２３からループアンテナ２１を介して検出信号をＲＦＩＤリーダー１０に送信する。また、各検出機器２０は、搭乗者の動作による外力が加えられず第１及び第２スイッチ回路２２Ｒ、２２Ｌがオフである場合、ＲＦＩＤ検出回路２３とループアンテナ２１との電気的な接続を遮断し、ループアンテナ２１の利得が低減されるので起動しない。この場合、各検出機器２０は、ＲＦＩＤ検出回路２３からループアンテナ２１を介して検出信号をＲＦＩＤリーダー１０に送信しない。
【００３４】
ＲＦＩＤリーダー１０は、各検出機器２０から検出信号を受信すると、受信した検出信号の識別子をＥＣＵ３０に出力する。ＥＣＵ３０は、ＲＦＩＤリーダー１０から識別子が出力されると各検出機器２０から返答があったと判定する。ＥＣＵ３０は、各検出機器２０から返答があったと判定した場合（ステップＳ３；Ｙｅｓ）、識別子に基づいて車両２内の検出対象の状態を判定する（ステップＳ４）。例えば、ＥＣＵ３０は、ＲＦＩＤリーダー１０から出力された識別子に対応付けられた座席２ａに搭乗者が着座したと判定する。次に、ＥＣＵ３０は、ＡＣＣ電源又はＩＧ電源がオフであるか否かを判定する（ステップＳ５）。ＥＣＵ３０は、ＡＣＣ電源又はＩＧ電源がオフである場合（ステップＳ５；Ｙｅｓ）、処理を終了する。また、ＥＣＵ３０は、ＡＣＣ電源又はＩＧ電源がオンである場合（ステップＳ５；Ｎｏ）、上述のステップＳ２に戻り、ＲＦＩＤリーダー１０により各検出機器２０を検出する。なお、上述のステップＳ１で、ＥＣＵ３０は、ＡＣＣ電源又はＩＧ電源がオフである場合（ステップＳ１；Ｎｏ）、処理を終了する。また、上述のステップＳ３で、ＥＣＵ３０は、各検出機器２０から返答がなかった場合（ステップＳ３；Ｎｏ）、再度、ＲＦＩＤリーダー１０により各検出機器２０を検出する（ステップＳ１、Ｓ２）。
【００３５】
以上のように、第１実施形態に係る検出機器２０は、ループアンテナ２１と、ＲＦＩＤ検出回路２３と、スイッチ部２２とを備える。ループアンテナ２１は、信号を含む電波を送受信する。ＲＦＩＤ検出回路２３は、ループアンテナ２１に接続される第１回路端子２３ａ及び第２回路端子２３ｂを含んで構成される。ＲＦＩＤ検出回路２３は、ループアンテナ２１により受信した信号に含まれる電力供給用の信号を動力として起動し検出信号をループアンテナ２１に出力する。スイッチ部２２は、検出対象の状態に応じてループアンテナ２１の利得を低減する利得低減状態又はループアンテナ２１の利得を低減しない利得非低減状態に切り替える。ここで、スイッチ部２２は、電波の波長をλとしたとき、第１回路端子２３ａからループアンテナ２１の第１延在方向に沿ってλ／８離れた位置までのループアンテナ２１上の範囲Ｋ１内にループアンテナ２１の利得を低減するためのスイッチ端子２２ａ、２２ｂを有する。スイッチ部２２は、さらに、第２回路端子２３ｂからループアンテナ２１の第２延在方向に沿ってλ／８離れた位置までのループアンテナ２１上の範囲Ｋ２内にループアンテナ２１の利得を低減するためのスイッチ端子２２ｄ、２２ｅを有する。
【００３６】
この構成により、検出機器２０は、検出対象の状態に応じてループアンテナ２１とＲＦＩＤ検出回路２３とを電気的に完全に切り離すことができる。これにより、検出機器２０は、ＲＦＩＤ検出回路２３及びループアンテナ２１のインピーダンスを不整合とすることができ、ループアンテナ２１の利得を低減する利得低減状態を実現することができる。これにより、検出機器２０は、ループアンテナ２１の受信感度を低下させ当該ループアンテナ２１を無効化することができ、電力供給用の信号が送信されてもＲＦＩＤ検出回路２３を起動させないようにできる。また、検出機器２０は、検出対象の状態に応じてループアンテナ２１とＲＦＩＤ検出回路２３とを電気的に接続することができる。これにより、検出機器２０は、ＲＦＩＤ検出回路２３及びループアンテナ２１のインピーダンスを整合させることができ、ループアンテナ２１の利得を低減しない利得非低減状態を実現することができる。これにより、検出機器２０は、ループアンテナ２１の受信感度を低下させないので当該ループアンテナ２１を有効化することができ、電力供給用の信号によりＲＦＩＤ検出回路２３を起動させることができる。この結果、検出機器２０は、例えば、搭乗者が座席２ａに着座していないにも関わらず検出信号を出力するような誤検出を抑制することができ、検出対象の検出精度を向上することができる。検出機器２０は、スイッチ端子２２ａ、２２ｄをそれぞれ第１及び第２回路端子２３ａ、２３ｂに直接接続することでＲＦＩＤ検出回路２３の両端部に残る導体長を短くし、ＲＦＩＤ検出回路２３の受信感度をより低下させることができる。これにより、検出機器２０は、ＲＦＩＤリーダー１０との距離を相対的に短くすることができ、検出領域を拡大することができる。
【００３７】
上記検出機器２０において、スイッチ端子２２ａ、２２ｂ、２２ｄ、２２ｅは、ＲＦＩＤ検出回路２３とループアンテナ２１とを通電状態又は非通電状態にするための作用点である。この構成により、検出機器２０は、検出対象の状態に応じてループアンテナ２１とＲＦＩＤ検出回路２３とを電気的に完全に切り離すことができ、利得低減状態を実現することができる。
【００３８】
上記検出機器２０において、スイッチ部２２は、スイッチ端子２２ａ、２２ｂを互いに電気的に接続状態又は非接続状態に切り替え可能な第１スイッチ回路２２Ｒと、スイッチ端子２２ｄ、２２ｅを互いに電気的に接続状態又は非接続状態に切り替え可能な第２スイッチ回路２２Ｌとを含んで構成される。スイッチ部２２は、スイッチ端子２２ａ、２２ｂを接続状態とし且つスイッチ端子２２ｄ、２２ｅを接続状態とした利得非低減状態と、スイッチ端子２２ａ、２２ｂを非接続状態とし且つスイッチ端子２２ｄ、２２ｅを非接続状態とした利得低減状態と、を切り替え可能である。この構成により、検出機器２０は、検出対象の状態に応じてループアンテナ２１とＲＦＩＤ検出回路２３とを電気的に完全に切り離すことができ、利得低減状態を実現することができる。また、検出機器２０は、検出対象の状態に応じてループアンテナ２１とＲＦＩＤ検出回路２３とを電気的に接続することができ、利得非低減状態を実現することができる。
【００３９】
第１実施形態に係る検出システム１は、ＲＦＩＤリーダー１０と、検出機器２０と、ＥＣＵ３０とを備える。ＲＦＩＤリーダー１０は、信号を含む電波を送受信し、少なくとも電力供給用の信号を含む送信信号を送信する。検出機器２０は、ループアンテナ２１、ＲＦＩＤ検出回路２３、及び、スイッチ部２２を含んで構成される。ループアンテナ２１は、ＲＦＩＤリーダー１０との間で相互に信号を送受信する。ＲＦＩＤ検出回路２３は、ループアンテナ２１に接続される第１回路端子２３ａ及び第２回路端子２３ｂを有し、ループアンテナ２１により受信した信号に含まれる電力供給用の信号を動力として起動し、検出信号をループアンテナ２１に出力する。スイッチ部２２は、検出対象の状態に応じてループアンテナ２１の利得を低減する利得低減状態又はループアンテナ２１の利得を低減しない利得非低減状態に切り替える。ＥＣＵ３０は、ＲＦＩＤリーダー１０に接続され、当該ＲＦＩＤリーダー１０が受信した検出信号に基づいて検出対象の状態を判定する。ここで、スイッチ部２２は、電波の波長をλとしたとき、第１回路端子２３ａからループアンテナ２１の第１延在方向に沿ってλ／８離れた位置までのループアンテナ２１上の範囲Ｋ１内にループアンテナ２１の利得を低減するためのスイッチ端子２２ａ、２２ｂを有する。スイッチ部２２は、さらに、第２回路端子２３ｂからループアンテナ２１の第２延在方向に沿ってλ／８離れた位置までのループアンテナ２１上の範囲Ｋ２内にループアンテナ２１の利得を低減するためのスイッチ端子２２ｄ、２２ｅを有する。この構成により、検出システム１は、上述の検出機器２０と同等の効果を奏することができる。
【００４０】
〔第１実施形態の変形例〕
次に、図６を参照して、第１実施形態の第１変形例に係る検出機器２０Ａについて説明する。なお、第１実施形態の第１変形例では、第１実施形態と同等の構成要素には同じ符号を付し、その詳細な説明を省略する。検出機器２０Ａは、第１及び第２スイッチ回路２２Ｒ、２２Ｌが電線２６Ａ、２６Ｂを介してループアンテナ２１に接続される点で第１実施形態の検出機器２０とは異なる。検出機器２０Ａは、ループアンテナ２１と、第１及び第２スイッチ回路２２Ｒ、２２Ｌと、電線２６Ａ、２６Ｂと、ＲＦＩＤ検出回路２３とを備える。電線２６Ａは、２本の導体２６ａと、各導体２６ａを被覆する被覆部２６ｂとを含んで構成される。各導体２６ａは、延在方向に沿って延在する。一方の導体２６ａは、一端がＲＦＩＤ検出回路２３の第１回路端子２３ａに接続され、他端が第１スイッチ回路２２Ｒのスイッチ端子２２ａに接続される。他方の導体２６ａは、一端がループアンテナ２１の始端部２１ａに接続され、他端が第１スイッチ回路２２Ｒのスイッチ端子２２ｂに接続される。各導体２６ａは、延在方向に交差する方向において互いに隣接して配置される。各導体２６ａは、互いに隣接して配置されることにより、各電流経路を流れる電流により生じる少なくとも一部の磁界を互いに打ち消し合う。つまり、各導体２６ａは、一方の電流経路に流れる電流と他方の電流経路に流れる電流とが互いに反対向きに流れることにより磁界を互いに打ち消し合う。これにより、各導体２６ａは、ループアンテナ２１に与える磁界の影響を抑制することができる。
【００４１】
同様に、電線２６Ｂは、２本の導体２６ｃと、各導体２６ｃを被覆する被覆部２６ｄとを含んで構成される。各導体２６ｃは、延在方向に沿って延在する。一方の導体２６ｃは、一端がＲＦＩＤ検出回路２３の第２回路端子２３ｂに接続され、他端が第２スイッチ回路２２Ｌのスイッチ端子２２ｄに接続される。他方の導体２６ｃは、一端がループアンテナ２１の終端部２１ｂに接続され、他端が第２スイッチ回路２２Ｌのスイッチ端子２２ｅに接続される。各導体２６ｃは、延在方向に交差する方向において互いに隣接して配置される。各導体２６ｃは、互いに隣接して配置されることにより、各電流経路を流れる電流により生じる少なくとも一部の磁界を互いに打ち消し合う。つまり、各導体２６ｃは、一方の電流経路に流れる電流と他方の電流経路に流れる電流とが互いに反対向きに流れることにより磁界を互いに打ち消し合う。これにより、各導体２６ｃは、ループアンテナ２１に与える磁界の影響を抑制することができる。
【００４２】
以上のように、第１実施形態の第１変形例に係る検出機器２０Ａは、第１及び第２スイッチ回路２２Ｒ、２２Ｌが電線２６Ａ、２６Ｂを介してループアンテナ２１に接続される。この構成により、検出機器２０Ａは、第１及び第２スイッチ回路２２Ｒ、２２Ｌをループアンテナ２１から離して設置することができ、設計の自由度を向上できる。また、検出機器２０Ａは、電線２６Ａ、２６Ｂの磁界がループアンテナ２１のアンテナ特性に与える影響を抑制できるので、ループアンテナ２１の性能の低下を抑制できる。
【００４３】
次に、図７を参照して、第１実施形態の第２変形例に係る検出機器２０Ｂについて説明する。検出機器２０Ｂは、第１及び第２スイッチ回路２２Ｒ、２２Ｌが同軸ケーブル２７Ａ、２７Ｂを介してループアンテナ２１に接続される点で第１実施形態の検出機器２０とは異なる。検出機器２０Ｂは、ループアンテナ２１と、第１及び第２スイッチ回路２２Ｒ、２２Ｌと、同軸ケーブル２７Ａ、２７Ｂと、ＲＦＩＤ検出回路２３とを備える。同軸ケーブル２７Ａは、芯線２７ａと、当該芯線２７ａと同心円状に設けられるシールド編組２７ｂと、芯線２７ａ及びシールド編組２７ｂを絶縁する絶縁体（図示省略）とを含んで構成される。同軸ケーブル２７Ａは、延在方向に沿って延在する。芯線２７ａは、一端がＲＦＩＤ検出回路２３の第１回路端子２３ａに接続され、他端が第１スイッチ回路２２Ｒのスイッチ端子２２ａに接続される。シールド編組２７ｂは、一端がループアンテナ２１の始端部２１ａに接続され、他端が第１スイッチ回路２２Ｒのスイッチ端子２２ｂに接続される。同軸ケーブル２７Ａは、電流が流れる際の磁界をシールド編組２７ｂの内側に閉じ込めるため、ループアンテナ２１に与える磁界の影響を抑制することができる。
【００４４】
同様に、同軸ケーブル２７Ｂは、芯線２７ｃと、当該芯線２７ｃと同心円状に設けられるシールド編組２７ｄと、芯線２７ｃ及びシールド編組２７ｄを絶縁する絶縁体（図示省略）とを含んで構成される。同軸ケーブル２７Ｂは、延在方向に沿って延在する。芯線２７ｃは、一端がＲＦＩＤ検出回路２３の第２回路端子２３ｂに接続され、他端が第２スイッチ回路２２Ｌのスイッチ端子２２ｅに接続される。シールド編組２７ｄは、一端がループアンテナ２１の終端部２１ｂに接続され、他端が第２スイッチ回路２２Ｌのスイッチ端子２２ｄに接続される。同軸ケーブル２７Ｂは、電流が流れる際の磁界をシールド編組２７ｄの内側に閉じ込めるため、ループアンテナ２１に与える磁界の影響を抑制することができる。
【００４５】
以上のように、第１実施形態の第２変形例に係る検出機器２０Ｂは、第１及び第２スイッチ回路２２Ｒ、２２Ｌが同軸ケーブル２７Ａ、２７Ｂを介してループアンテナ２１に接続される。この構成により、検出機器２０Ｂは、第１及び第２スイッチ回路２２Ｒ、２２Ｌをループアンテナ２１から離して設置することができ、設計の自由度を向上できる。また、検出機器２０Ｂは、同軸ケーブル２７Ａ、２７Ｂの磁界がループアンテナ２１のアンテナ特性に与える影響を抑制できるので、ループアンテナ２１の性能の低下を抑制できる。
【００４６】
次に、図８を参照して、第１実施形態の第３変形例に係る検出機器２０Ｃについて説明する。検出機器２０Ｃは、ループアンテナ２１の代わりにダイポールアンテナ４０を備える点で第１実施形態の検出機器２０とは異なる。検出機器２０Ｃは、ダイポールアンテナ４０と、第１及び第２スイッチ回路２２Ｒ、２２Ｌと、ＲＦＩＤ検出回路２３とを備える。ダイポールアンテナ４０は、第１エレメント４１及び第２エレメント４２を含んで構成され、信号を含む電波を送受信するものである。第１スイッチ回路２２Ｒは、ＲＦＩＤ検出回路２３の第１回路端子２３ａと第１エレメント４１の一端４１ａとの間に設けられる。第１スイッチ回路２２Ｒのスイッチ端子２２ａ、２２ｂは、ＲＦＩＤ検出回路２３の第１回路端子２３ａからダイポールアンテナ４０の第１延在方向に沿ってλ／８離れた位置までのダイポールアンテナ４０上の範囲Ｋ１内に位置する。ここで、「λ」は、ダイポールアンテナ４０により受信する電波の波長である。第１スイッチ回路２２Ｒは、スイッチ端子２２ａがＲＦＩＤ検出回路２３の第１回路端子２３ａに接続され、スイッチ端子２２ｂが第１エレメント４１の一端４１ａに接続されている。第１スイッチ回路２２Ｒは、ＲＦＩＤ検出回路２３の第１回路端子２３ａと第１エレメント４１の一端４１ａとを通電状態又は非通電状態に切り替える。
【００４７】
第２スイッチ回路２２Ｌは、ＲＦＩＤ検出回路２３の第２回路端子２３ｂと第２エレメント４２の一端４２ａとの間に設けられる。第２スイッチ回路２２Ｌのスイッチ端子２２ｄ、２２ｅは、ＲＦＩＤ検出回路２３の第２回路端子２３ｂからダイポールアンテナ４０の第２延在方向に沿ってλ／８離れた位置までのダイポールアンテナ４０上の範囲Ｋ２内に位置する。第２スイッチ回路２２Ｌは、スイッチ端子２２ｄがＲＦＩＤ検出回路２３の第２回路端子２３ｂに接続され、スイッチ端子２２ｅが第２エレメント４２の一端４２ａに接続されている。第２スイッチ回路２２Ｌは、ＲＦＩＤ検出回路２３の第２回路端子２３ｂと第２エレメント４２の一端４２ａとを通電状態又は非通電状態に切り替える。
【００４８】
検出機器２０Ｃは、例えば、検出対象の状態に応じて第１スイッチ回路２２Ｒのスイッチ端子２２ａ、２２ｂを非接続状態（オフ）とし、且つ、第２スイッチ回路２２Ｌのスイッチ端子２２ｄ、２２ｅを非接続状態（オフ）とすることで、ダイポールアンテナ４０の利得を低減する利得低減状態に切り替える。また、検出機器２０Ｃは、検出対象の状態に応じて第１スイッチ回路２２Ｒのスイッチ端子２２ａ、２２ｂを接続状態（オン）とし、且つ、第２スイッチ回路２２Ｌのスイッチ端子２２ｄ、２２ｅを接続状態（オン）とすることで、ダイポールアンテナ４０の利得を低減しない利得非低減状態に切り替える。
【００４９】
以上のように、第１実施形態の第３変形例に係る検出機器２０Ｃは、検出対象の状態に応じてダイポールアンテナ４０とＲＦＩＤ検出回路２３とを電気的に完全に切り離すことができる。これにより、検出機器２０Ｃは、利得低減状態を実現することができ、ダイポールアンテナ４０を無効化することができる。また、検出機器２０Ｃは、検出対象の状態に応じてダイポールアンテナ４０とＲＦＩＤ検出回路２３とを電気的に接続することができる。これにより、検出機器２０Ｃは、利得非低減状態を実現することができ、ダイポールアンテナ４０を有効化することができる。この結果、検出機器２０Ｃは、検出対象の検出精度を向上することができる。検出機器２０Ｃは、スイッチ端子２２ａ、２２ｄをそれぞれ第１及び第２回路端子２３ａ、２３ｂに直接接続することでＲＦＩＤ検出回路２３の両端部に残る導体長を短くし、ＲＦＩＤ検出回路２３の受信感度をより低下させることができる。これにより、検出機器２０Ｃは、ＲＦＩＤリーダー１０との距離を相対的に短くすることができ、検出領域を拡大することができる。
【００５０】
〔第２実施形態〕
次に、図９を参照して、第２実施形態に係る検出機器２０Ｄについて説明する。なお、第２実施形態では、第１実施形態と同等の構成要素には同じ符号を付し、その詳細な説明を省略する。第２実施形態に係る検出機器２０Ｄは、スイッチ部２２の代わりにコンデンサ部２４を備える点で第１実施形態の検出機器２０とは異なる。検出機器２０Ｄは、ループアンテナ２１と、利得低減部としてのコンデンサ部２４と、ＲＦＩＤ検出回路２３とを備える。コンデンサ部２４は、第１コンデンサ回路２４Ｒと、第２コンデンサ回路２４Ｌとを含んで構成される。第１コンデンサ回路２４Ｒは、ループアンテナ２１を利得低減状態又は利得非低減状態に切り替えるものである。第１コンデンサ回路２４Ｒは、ＲＦＩＤ検出回路２３の第１回路端子２３ａとループアンテナ２１の始端部２１ａとの間に設けられる。第１コンデンサ回路２４Ｒは、第１平板としての平板２４ａと、第２平板としての平板２４ｂと、第１平板駆動機構（図示省略）とを含んで構成される。一対の平板２４ａ、２４ｂは、ループアンテナ２１の利得を低減するための第１作用点として機能するものである。一対の平板２４ａ、２４ｂは、互いに対向して配置され、移動可能に設けられている。一対の平板２４ａ、２４ｂは、互いに接近することで電荷を蓄電可能な状態である蓄電可能状態となり、互いに離間することで電荷を蓄電不可な状態である蓄電不可状態となる。一対の平板２４ａ、２４ｂは、ＲＦＩＤ検出回路２３の第１回路端子２３ａからループアンテナ２１の第１延在方向に沿ってλ／８離れた位置までのループアンテナ２１上の範囲Ｋ１内に位置する。一方の平板２４ａは、ＲＦＩＤ検出回路２３の第１回路端子２３ａに接続されている。他方の平板２４ｂは、ループアンテナ２１の始端部２１ａに接続されている。第１平板駆動機構は、一対の平板２４ａ、２４ｂを互いに接近させることで蓄電可能状態に切り替え、一対の平板２４ａ、２４ｂを互いに離間させることで蓄電不可状態に切り替える。
【００５１】
第２コンデンサ回路２４Ｌは、第３平板としての平板２４ｃと、第４平板としての平板２４ｄと、第２平板駆動機構（図示省略）とを含んで構成される。一対の平板２４ｃ、２４ｄは、ループアンテナ２１の利得を低減するための第２作用点として機能するものである。一対の平板２４ｃ、２４ｄは、互いに対向して配置され、移動可能に設けられている。一対の平板２４ｃ、２４ｄは、互いに接近することで電荷を蓄電可能な状態である蓄電可能状態となり、互いに離間することで電荷を蓄電不可な状態である蓄電不可状態となる。一対の平板２４ｃ、２４ｄは、ＲＦＩＤ検出回路２３の第２回路端子２３ｂからループアンテナ２１の第２延在方向に沿ってλ／８離れた位置までのループアンテナ２１上の範囲Ｋ２内に位置する。一方の平板２４ｃは、ＲＦＩＤ検出回路２３の第２回路端子２３ｂに接続されている。他方の平板２４ｄは、ループアンテナ２１の終端部２１ｂに接続されている。第２平板駆動機構は、一対の平板２４ｃ、２４ｄを互いに接近させることで蓄電可能状態に切り替え、一対の平板２４ｃ、２４ｄを互いに離間させることで蓄電不可状態に切り替える。
【００５２】
検出機器２０Ｄは、検出対象の状態に応じて第１コンデンサ回路２４Ｒの一対の平板２４ａ、２４ｂを蓄電不可状態とし、且つ、第２コンデンサ回路２４Ｌの一対の平板２４ｃ、２４ｄを蓄電不可状態とすることで、ループアンテナ２１の利得を低減する利得低減状態に切り替える。また、検出機器２０Ｄは、検出対象の状態に応じて第１コンデンサ回路２４Ｒの一対の平板２４ａ、２４ｂを蓄電可能状態とし、且つ、第２コンデンサ回路２４Ｌの一対の平板２４ｃ、２４ｄを蓄電可能状態とすることで、ループアンテナ２１の利得を低減しない利得非低減状態に切り替える。
【００５３】
以上のように、第２実施形態に係る検出機器２０Ｄは、一対の平板２４ａ、２４ｂを蓄電可能状態又は蓄電不可状態に切り替え可能な第１コンデンサ回路２４Ｒと、一対の平板２４ｃ、２４ｄを蓄電可能状態又は蓄電不可状態に切り替え可能な第２コンデンサ回路２４Ｌとを含んで構成される。検出機器２０Ｄは、一対の平板２４ａ、２４ｂを蓄電可能状態とし且つ一対の平板２４ｃ、２４ｄを蓄電可能状態とした利得非低減状態と、一対の平板２４ａ、２４ｂを蓄電不可状態とし且つ一対の平板２４ｃ、２４ｄを蓄電不可状態とした利得低減状態とを切り替え可能である。
【００５４】
この構成により、検出機器２０Ｄは、検出対象の状態に応じてループアンテナ２１とＲＦＩＤ検出回路２３とを電気的に完全に切り離すことができる。これにより、検出機器２０Ｄは、利得低減状態を実現することができ、ループアンテナ２１を無効化することができる。また、検出機器２０Ｄは、検出対象の状態に応じてループアンテナ２１とＲＦＩＤ検出回路２３とを電気的に接続することができる。これにより、検出機器２０Ｄは、利得非低減状態を実現することができ、ループアンテナ２１を有効化することができる。この結果、検出機器２０Ｄは、検出対象の検出精度を向上することができる。検出機器２０Ｄは、コンデンサ部２４を用いるので、第１実施形態のスイッチ部２２のような接点を不要とすることができ、接点不良を排除することができる。検出機器２０Ｄは、平板２４ａ、２４ｃをそれぞれ第１及び第２回路端子２３ａ、２３ｂに直接接続することでＲＦＩＤ検出回路２３の両端部に残る導体長を短くし、ＲＦＩＤ検出回路２３の受信感度をより低下させることができる。これにより、検出機器２０Ｄは、ＲＦＩＤリーダー１０との距離を相対的に短くすることができ、検出領域を拡大することができる。
【００５５】
〔第２実施形態の変形例〕
次に、図１０を参照して、第２実施形態の変形例に係る検出機器２０Ｅについて説明する。検出機器２０Ｅは、ループアンテナ２１の代わりにダイポールアンテナ４０を備える点で第２実施形態の検出機器２０Ｄとは異なる。検出機器２０Ｅは、ダイポールアンテナ４０と、第１及び第２コンデンサ回路２４Ｒ、２４Ｌと、ＲＦＩＤ検出回路２３とを備える。第１コンデンサ回路２４Ｒは、ＲＦＩＤ検出回路２３の第１回路端子２３ａとダイポールアンテナ４０の第１エレメント４１の一端４１ａとの間に設けられる。第１コンデンサ回路２４Ｒの一対の平板２４ａ、２４ｂは、ＲＦＩＤ検出回路２３の第１回路端子２３ａからダイポールアンテナ４０の第１延在方向に沿ってλ／８離れた位置までのダイポールアンテナ４０上の範囲Ｋ１内に位置する。第１コンデンサ回路２４Ｒは、平板２４ａがＲＦＩＤ検出回路２３の第１回路端子２３ａに接続され、平板２４ｂが第１エレメント４１の一端４１ａに接続されている。
【００５６】
第２コンデンサ回路２４Ｌは、ＲＦＩＤ検出回路２３の第２回路端子２３ｂと第２エレメント４２の一端４２ａとの間に設けられる。第２コンデンサ回路２４Ｌの一対の平板２４ｃ、２４ｄは、ＲＦＩＤ検出回路２３の第２回路端子２３ｂからダイポールアンテナ４０の第２延在方向に沿ってλ／８離れた位置までのダイポールアンテナ４０上の範囲Ｋ２内に位置する。第２コンデンサ回路２４Ｌは、平板２４ｃがＲＦＩＤ検出回路２３の第２回路端子２３ｂに接続され、平板２４ｄが第２エレメント４２の一端４２ａに接続されている。
【００５７】
検出機器２０Ｅは、検出対象の状態に応じて第１コンデンサ回路２４Ｒの一対の平板２４ａ、２４ｂを蓄電不可状態とし、且つ、第２コンデンサ回路２４Ｌの一対の平板２４ｃ、２４ｄを蓄電不可状態とすることで、ダイポールアンテナ４０の利得を低減する利得低減状態に切り替える。また、検出機器２０Ｅは、検出対象の状態に応じて第１コンデンサ回路２４Ｒの一対の平板２４ａ、２４ｂを蓄電可能状態とし、且つ、第２コンデンサ回路２４Ｌの一対の平板２４ｃ、２４ｄを蓄電可能状態とすることで、ダイポールアンテナ４０の利得を低減しない利得非低減状態に切り替える。
【００５８】
以上のように、第２実施形態の変形例に係る検出機器２０Ｅは、検出対象の状態に応じてダイポールアンテナ４０とＲＦＩＤ検出回路２３とを電気的に完全に切り離すことができる。これにより、検出機器２０Ｅは、利得低減状態を実現することができ、ダイポールアンテナ４０を無効化することができる。また、検出機器２０Ｅは、検出対象の状態に応じてダイポールアンテナ４０とＲＦＩＤ検出回路２３とを電気的に接続することができる。これにより、検出機器２０Ｅは、利得非低減状態を実現することができ、ダイポールアンテナ４０を有効化することができる。この結果、検出機器２０Ｅは、検出対象の検出精度を向上することができる。検出機器２０Ｅは、平板２４ａ、２４ｃをそれぞれ第１及び第２回路端子２３ａ、２３ｂに直接接続することでＲＦＩＤ検出回路２３の両端部に残る導体長を短くし、ＲＦＩＤ検出回路２３の受信感度をより低下させることができる。これにより、検出機器２０Ｅは、ＲＦＩＤリーダー１０との距離を相対的に短くすることができ、検出領域を拡大することができる。
【００５９】
〔第３実施形態〕
次に、図１１を参照して、第３実施形態に係る検出機器２０Ｆについて説明する。なお、第３実施形態では、第１実施形態と同等の構成要素には同じ符号を付し、その詳細な説明を省略する。第３実施形態に係る検出機器２０Ｆは、ループアンテナ２１の導体間を接続する点で第１実施形態の検出機器２０とは異なる。検出機器２０Ｆは、ループアンテナ２１と、導通線部２８と、利得低減部としてのスイッチ回路２５と、第１作用点としての第１接続点２５ｄと、第２作用点としての第２接続点２５ｅと、ＲＦＩＤ検出回路２３とを備える。第１及び第２接続点２５ｄ、２５ｅは、ループアンテナ２１の利得を低減するための作用点として機能するものである。第１接続点２５ｄは、ＲＦＩＤ検出回路２３の第１回路端子２３ａからループアンテナ２１の第１延在方向に沿ってλ／８離れた位置までのループアンテナ２１上の範囲Ｋ１内に位置する。第２接続点２５ｅは、ＲＦＩＤ検出回路２３の第２回路端子２３ｂからループアンテナ２１の第２延在方向に沿ってλ／８離れた位置までのループアンテナ２１上の範囲Ｋ２内に位置する。第１及び第２接続点２５ｄ、２５ｅは、導通線部２８が接続される。
【００６０】
導通線部２８は、ループアンテナ２１の導体間を接続するものである。導通線部２８は、導電性の部材から形成され、導通線２８ａ、２８ｂを含んで構成される。導通線２８ａは、一端が第１接続点２５ｄに接続され、他端がスイッチ回路２５のスイッチ端子２５ａに接続されている。導通線２８ｂは、一端が第２接続点２５ｅに接続され、他端がスイッチ回路２５のスイッチ端子２５ｂに接続されている。導通線部２８は、スイッチ回路２５がオンされることで導通し、スイッチ回路２５がオフされることで非導通となる。
【００６１】
スイッチ回路２５は、電気的な接続をオン又はオフに切り替えるものである。スイッチ回路２５は、導通線２８ａと導通線２８ｂとの間に設けられ、ＲＦＩＤ検出回路２３と並列に接続される。スイッチ回路２５は、スイッチ端子２５ａと、スイッチ端子２５ｂと、切替バー２５ｃとを含んで構成される。スイッチ回路２５は、スイッチ端子２５ａが導通線２８ａの他端に接続され、スイッチ端子２５ｂが導通線２８ｂの他端に接続されている。切替バー２５ｃは、スイッチ端子２５ａ、２５ｂを互いに電気的に接続状態（オン）又は非接続状態（オフ）に切り替える。つまり、切替バー２５ｃは、導通線２８ａと導通線２８ｂとを通電状態又は非通電状態に切り替える。
【００６２】
検出機器２０Ｆは、例えば、検出対象の状態に応じてスイッチ回路２５のスイッチ端子２５ａ、２５ｂを接続状態（オン）することで、導通線２８ａ及び導通線２８ｂを通電状態とし、ＲＦＩＤ検出回路２３とループアンテナ２１とのアンテナ整合を不一致状態とする。言い換えれば、検出機器２０Ｆは、スイッチ回路２５をオンし、ＲＦＩＤ検出回路２３とループアンテナ２１とのインピーダンスを不整合にしてループアンテナ２１を利得低減状態に切り替える。検出機器２０Ｆは、スイッチ回路２５のオン抵抗を相対的に小さくすることで、より好適にインピーダンスを不整合とすることができる。スイッチ回路２５のオン抵抗は、例えば１Ω以下が好ましい。検出機器２０Ｆは、検出対象の状態に応じてスイッチ回路２５のスイッチ端子２２ａ、２２ｂを非接続状態（オフ）することで、導通線２８ａ及び導通線２８ｂを非通電状態とし、ＲＦＩＤ検出回路２３とループアンテナ２１とのアンテナ整合を一致状態とする。言い換えれば、検出機器２０Ｆは、スイッチ回路２５をオフし、ＲＦＩＤ検出回路２３とループアンテナ２１とのインピーダンスを整合させてループアンテナ２１を利得非低減状態に切り替える。
【００６３】
以上のように、第３実施形態の検出機器２０Ｆは、第１接続点２５ｄ及び第２接続点２５ｅを互いに電気的に接続状態又は非接続状態に切り替え可能なスイッチ回路２５を含んで構成される。スイッチ回路２５は、第１接続点２５ｄ及び第２接続点２５ｅを非接続状態とした利得非低減状態と、第１接続点２５ｄ及び第２接続点２５ｅを接続状態とした利得低減状態と、を切り替え可能である。
【００６４】
この構成により、検出機器２０Ｆは、検出対象の状態に応じてＲＦＩＤ検出回路２３とループアンテナ２１とのインピーダンスを不整合とすることができる。これにより、検出機器２０Ｆは、利得低減状態を実現することができ、ループアンテナ２１を無効化することができる。また、検出機器２０Ｆは、検出対象の状態に応じてＲＦＩＤ検出回路２３とループアンテナ２１とのインピーダンスを整合させることができる。これにより、検出機器２０Ｆは、利得非低減状態を実現することができ、ループアンテナ２１を有効化することができる。この結果、検出機器２０Ｆは、検出対象の検出精度を向上することができる。
【００６５】
〔第３実施形態の変形例〕
次に、図１２を参照して、第３実施形態の変形例に係る検出機器２０Ｇについて説明する。検出機器２０Ｇは、ループアンテナ２１の代わりにダイポールアンテナ４０を備える点で第３実施形態の検出機器２０Ｆとは異なる。検出機器２０Ｇは、ダイポールアンテナ４０と、導通線部２８と、スイッチ回路２５と、第１接続点２５ｄと、第２接続点２５ｅと、ＲＦＩＤ検出回路２３とを備える。第１及び第２接続点２５ｄ、２５ｅは、ダイポールアンテナ４０の利得を低減するための作用点として機能するものである。第１接続点２５ｄは、ＲＦＩＤ検出回路２３の第１回路端子２３ａからダイポールアンテナ４０の第１エレメント４１の第１延在方向に沿ってλ／８離れた位置までの第１エレメント４１上の範囲Ｋ１内に位置する。第２接続点２５ｅは、ＲＦＩＤ検出回路２３の第２回路端子２３ｂから第２エレメント４２の第２延在方向に沿ってλ／８離れた位置までの第２エレメント４２上の範囲Ｋ２内に位置する。第１及び第２接続点２５ｄ、２５ｅは、導通線部２８が接続される。
【００６６】
導通線部２８は、ダイポールアンテナ４０の導体間を接続するものである。導通線部２８の導通線２８ａは、一端が第１接続点２５ｄに接続され、他端がスイッチ回路２５のスイッチ端子２５ａに接続されている。導通線２８ｂは、一端が第２接続点２５ｅに接続され、他端がスイッチ回路２５のスイッチ端子２５ｂに接続されている。導通線部２８は、スイッチ回路２５がオンされることで導通し、スイッチ回路２５がオフされることで非導通となる。
【００６７】
検出機器２０Ｇは、例えば、検出対象の状態に応じてスイッチ回路２５のスイッチ端子２５ａ、２５ｂを接続状態（オン）することで、導通線２８ａ及び導通線２８ｂを通電状態とし、ダイポールアンテナ４０の利得を低減する利得低減状態に切り替える。また、検出機器２０Ｇは、検出対象の状態に応じてスイッチ回路２５のスイッチ端子２２ａ、２２ｂを非接続状態（オフ）することで、導通線２８ａ及び導通線２８ｂを非通電状態とし、ダイポールアンテナ４０の利得を低減しない利得非低減状態に切り替える。
【００６８】
以上のように、第３実施形態の変形例に係る検出機器２０Ｇは、検出対象の状態に応じてＲＦＩＤ検出回路２３とダイポールアンテナ４０とのインピーダンスを不整合とすることができる。これにより、検出機器２０Ｇは、利得低減状態を実現することができ、ダイポールアンテナ４０を無効化することができる。また、検出機器２０Ｇは、検出対象の状態に応じてＲＦＩＤ検出回路２３とダイポールアンテナ４０とのインピーダンスを整合させることができる。これにより、検出機器２０Ｇは、利得非低減状態を実現することができ、ダイポールアンテナ４０を有効化することができる。この結果、検出機器２０Ｇは、検出対象の検出精度を向上することができる。
【００６９】
なお、各検出機器２０〜２０Ｇのアンテナは、ループアンテナ２１又はダイポールアンテナ４０である例について説明したが、これに限定されず、モノポールアンテナ等のアンテナであってもよい。
【００７０】
また、検出システム１は、各検出機器２０が座席２ａの座面部２ｂに設けられ、搭乗者の着座を判定する例について説明したが、これに限定されない。例えば、検出システム１は、各検出機器２０がシートベルトのバックル（図示省略）に設けられ、搭乗者によるシートベルトの締結を判定してもよい。この場合、第１及び第２スイッチ回路２２Ｒ、２２Ｌは、例えば、シートベルトのタングプレートがバックルに装着されていない場合にオフし、ループアンテナ２１を利得低減状態としてＲＦＩＤ検出回路２３を起動しない。また、第１及び第２スイッチ回路２２Ｒ、２２Ｌは、タングプレートがバックルに装着された場合にオンし、ループアンテナ２１を利得非低減状態としてＲＦＩＤ検出回路２３を起動させる。
【００７１】
また、各検出機器２０は、車両２に搭載する例について説明したが、これに限定されず、例えば、船舶や航空機、建築物等に搭載してもよい。
【００７２】
また、検出機器２０Ｃは、電線２６Ａ、２６Ｂ（同軸ケーブル２７Ａ、２７Ｂ）を介して第１及び第２スイッチ回路２２Ｒ、２２Ｌをダイポールアンテナ４０に接続してもよい。検出機器２０Ｄは、電線２６Ａ、２６Ｂ（同軸ケーブル２７Ａ、２７Ｂ）を介して第１及び第２コンデンサ回路２４Ｒ、２４Ｌをループアンテナ２１に接続してもよい。検出機器２０Ｅは、電線２６Ａ、２６Ｂ（同軸ケーブル２７Ａ、２７Ｂ）を介して第１及び第２コンデンサ回路２４Ｒ、２４Ｌをダイポールアンテナ４０に接続してもよい。検出機器２０Ｆは、電線２６Ａ（同軸ケーブル２７Ａ）を介してスイッチ回路２５をループアンテナ２１に接続してもよい。検出機器２０Ｇは、電線２６Ａ（同軸ケーブル２７Ａ）を介してスイッチ回路２５をダイポールアンテナ４０に接続してもよい。
【符号の説明】
【００７３】
１  検出システム
１０  ＲＦＩＤリーダー（読み取り装置）
２０、２０Ａ、２０Ｂ、２０Ｃ、２０Ｄ、２０Ｅ、２０Ｆ、２０Ｇ  検出機器
２１  ループアンテナ（アンテナ）
２２  スイッチ部（利得低減部）
２２Ｒ  第１スイッチ回路
２２Ｌ  第２スイッチ回路
２２ａ、２２ｂ  スイッチ端子（第１作用点、第１端子、第２端子）
２２ｄ、２２ｅ  スイッチ端子（第２作用点、第３端子、第４端子）
２３  ＲＦＩＤ検出回路（信号出力部）
２３ａ  第１回路端子
２３ｂ  第２回路端子
２４  コンデンサ部（利得低減部）
２４Ｒ  第１コンデンサ回路
２４Ｌ  第２コンデンサ回路
２４ａ、２４ｂ  平板（第１作用点、第１平板、第２平板）
２４ｃ、２４ｄ  平板（第２作用点、第３平板、第４平板）
２５ｄ  第１接続点
２５ｅ  第２接続点
２５  スイッチ回路（第３スイッチ回路、利得低減部）
３０  ＥＣＵ（判定部）
４０  ダイポールアンテナ
Ｋ１、Ｋ２  範囲
【図１】
2019206201.tif 000003
【図２】
2019206201.tif 000004
【図３】
2019206201.tif 000005
【図４】
2019206201.tif 000006
【図５】
2019206201.tif 000007
【図６】
2019206201.tif 000008
【図７】
2019206201.tif 000009
【図８】
2019206201.tif 000010
【図９】
2019206201.tif 000011
【図１０】
2019206201.tif 000012
【図１１】
2019206201.tif 000013
【図１２】
2019206201.tif 000014